(57)【特許請求の範囲】
【請求項１】
光源と、
頂点が切除された構造のコーナーキューブで構成され、前記光源からの光の一部を頂部から測定光として透過してターゲットに向けて出射し、残りを参照光として反射して、光を前記測定光と前記参照光とに分岐する光分岐素子と、
前記光分岐素子にて反射された中空円筒状の前記参照光と、前記ターゲットで反射されて前記光分岐素子の前記頂部を透過して前記参照光の内側を通る前記測定光と、を集光して干渉させる集光レンズと、
前記集光レンズで集光して干渉させた光の強度を検出する光検出器と、
前記光検出器の出力に基づいて測長する測長部と、
を備える干渉計。
【請求項２】
前記光分岐素子の頂部が、凸レンズ面で構成される、
請求項１に記載の干渉計。
【請求項３】
前記光分岐素子が、前記光源から出射される光の光軸と同軸上に配置され、
前記光源と前記光分岐素子との間に、前記光源からの光を透過し、かつ、前記参照光及び前記測定光を前記光検出器に向けて反射するビームスプリッターを備え、
前記ビームスプリッターと前記光検出器との間に前記集光レンズが配置される、
請求項１又は２に記載の干渉計。
【請求項４】
第１ポート、第２ポート、及び、第３ポートを備え、前記第１ポートに入射する光を前記第２ポートから出射し、かつ、前記第２ポートに入射する光を前記第３ポートから出射する光サーキュレーターと、
前記第１ポートに接続され、前記光源からの光を前記第１ポートに伝播する第１の光ファイバーと、
前記第２ポートに接続され、前記第２ポートから出射する光をファイバー端から出射し、かつ、前記ファイバー端に入射する光を前記第２ポートに伝播する第２の光ファイバーと、
前記第３ポートに接続され、前記第３ポートから出射する光を前記光検出器に伝播する第３の光ファイバーと、
を備え、前記集光レンズと前記光分岐素子とが同軸上に配置され、前記第２の光ファイバーの前記ファイバー端から出射する光が、前記集光レンズを介して前記光分岐素子に入射し、かつ、前記集光レンズで集光された光が前記第２の光ファイバーの前記ファイバー端に入射する、
請求項１又は２に記載の干渉計。 
【発明の詳細な説明】
【技術分野】
【０００１】
本発明は、干渉計、及び、その干渉計に組み込まれる光分岐素子に関する。
【背景技術】
【０００２】
干渉計では、光源からの光を分岐し、それぞれを異なる光路を伝播させたあと、再び合成して干渉光を生成する。したがって、干渉計を構成するためには、光源と、光源からの光を分岐する手段と、分岐した光を再び合成する手段と、が必要となる。従来、光源からの光を分岐する手段、及び、分岐した光を再び合成する手段には、ビームスプリッターやハーフミラーが用いられていた。
【０００３】
ビームスプリッターを用いて光を分岐し、かつ、合成する構成の干渉計では、光源からの光をビームスプリッターで参照光と測定光とに分岐し、それぞれを独立した光路を伝播させたあと、再びビームスプリッターに戻して合成し、干渉光を生成する（たとえば、特許文献１参照）。
【０００４】
ハーフミラーを用いて光を分岐し、かつ、合成する構成の干渉計では、光源からの光の一部を参照光としてハーフミラーで反射し、残りを測定光として透過させる。そして、ターゲットで反射した測定光をハーフミラーで反射した参照光と合成して干渉光を生成する（たとえば、特許文献２参照）。
【先行技術文献】
【特許文献】
【０００５】
【特許文献１】特開平７−３５５０６号公報
【特許文献２】特開平１１−８３４３３号公報
【発明の概要】
【発明が解決しようとする課題】
【０００６】
しかしながら、ビームスプリッターを用いて光を分岐し、かつ、合成する構成の干渉計では、分岐した光がそれぞれ独立した光路を伝播するため、外乱の影響を受けやすく、誤差が生じやすいという欠点がある。また、この種の干渉計では、反射光の角度安定性を確保するため、反射用の光学素子としてコーナーキューブが用いられるが、コーナーキューブを用いると、装置が大型化するという欠点がある。
【０００７】
一方、ハーフミラーを用いて光を分岐し、かつ、合成する構成の干渉計では、ハーフミラーを正確に位置決めして設置しないと、測定光の光軸と参照光の光軸との間に傾きが生じ、効率よく干渉信号が得られないという欠点がある。
【０００８】
本発明は、このような事情に鑑みてなされたもので、コンパクトな構成で高精度な測定ができ、組み立ての容易な干渉計及び光分岐素子を提供することを目的とする。
【課題を解決するための手段】
【０００９】
課題を解決するための手段は、次のとおりである。
【００１０】
（１）光源と、頂点が切除された構造のコーナーキューブで構成され、光源からの光の一部を頂部から測定光として透過し、残りを参照光として反射して、光を分岐する光分岐素子と、参照光及び測定光を集光して干渉させる集光レンズと、集光レンズで集光して干渉させた光の強度を検出する光検出器と、光検出器の出力に基づいて測長する測長部と、を備える干渉計。
【００１１】
光源からの光は、光分岐素子によって測定光と参照光とに分岐される。光分岐素子は、頂点が切除された構造のコーナーキューブで構成される。光源からの光は、光分岐素子に入射することにより、一部が頂部を透過し、残りが元来た方向に反射される。頂部を透過する光が測定光とされ、反射する光が参照光とされる。測定光はターゲットに照射され、その反射光が参照光と合成されて、干渉光が生成される。干渉光の生成は集光レンズを介して行われる。ターゲットで反射した測定光、及び、参照光は、集光レンズに入射し、その集光レンズで集光されて合成される。これにより、干渉光が生成される。光検出器は、生成された干渉光の強度を検出する。測長部は、光検出器の出力に基づいて測長する。
【００１２】
本態様によれば、測定光と参照光とが同軸上を伝播するため、外乱の影響を受けにくい構成にできる。これにより、高精度な測定が可能になる。また、測定光の光路と参照光の光路とが同軸上に配置されるため、コンパクトな構成にできる。また、光分岐素子は、光源からの光を反射する部分に関して、コーナーキューブと同じ構造を有する。このため、測定光の光軸に対して傾いて設置された場合であっても、測定光の光軸と同じ方向に参照光を反射できる。これにより、設置精度をラフにでき、組み立てを容易にできる。
【００１３】
（２）光分岐素子の頂部が、凸レンズ面で構成される、上記（１）の干渉計。
【００１４】
本態様によれば、光分岐素子の頂部が、凸レンズ面で構成される。これにより、ターゲットに対して測定光を集光させて照射でき、光を効率よく利用できる。
【００１５】
（３）光分岐素子が、光源から出射される光の光軸と同軸上に配置され、光源と光分岐素子との間に、光源からの光を透過し、かつ、参照光及び測定光を光検出器に向けて反射するビームスプリッターを備え、ビームスプリッターと光検出器との間に集光レンズが配置される、上記（１）又は（２）の干渉計。
【００１６】
本態様によれば、光源から出射される光の光軸と同軸上にビームスプリッターが配置される。ターゲットで反射した測定光及び参照光は、光軸と同軸上を伝播し、ビームスプリッターによって光検出器の方向に反射される。そして、集光レンズを通して光検出器に入射される。
【００１７】
（４）第１ポート、第２ポート、及び、第３ポートを備え、第１ポートに入射する光を第２ポートから出射し、かつ、第２ポートに入射する光を第３ポートから出射する光サーキュレーターと、第１ポートに接続され、光源からの光を第１ポートに伝播する第１の光ファイバーと、第２ポートに接続され、第２ポートから出射する光をファイバー端から出射し、かつ、ファイバー端に入射する光を第２ポートに伝播する第２の光ファイバーと、第３ポートに接続され、第３ポートから出射する光を光検出器に伝播する第３の光ファイバーと、を備え、集光レンズと光分岐素子とが同軸上に配置され、第２の光ファイバーのファイバー端から出射する光が、集光レンズを介して光分岐素子に入射し、かつ、集光レンズで集光された光が第２の光ファイバーのファイバー端に入射する、上記（１）又は（２）の干渉計。
【００１８】
本態様によれば、光源からの光が光ファイバーを介して光分岐素子に導かれる。また、干渉光が光ファイバーを介して光検出器に導かれる。これにより、光源と測定部（集光レンズと光分岐素子を含む構成要素）、光検出器と測定部、光源と光検出器を相互に分離でき、レイアウトの自由度を向上できる。
【００１９】
（５）干渉計に組み込まれて、光源からの光を測定光と参照光とに分岐する光分岐素子であって、頂点が切除された構造のコーナーキューブで構成され、入射した光の一部を頂部から測定光として透過し、残りを参照光として反射して、入射した光を測定光と参照光と分岐する光分岐素子。
【００２０】
本態様によれば、光分岐素子は、頂点が切除された構造のコーナーキューブで構成される。光源からの光は、光分岐素子に入射することにより、一部が頂部を透過し、残りが元来た方向に反射される。頂部を透過する光が測定光とされ、反射する光が参照光とされる。
【００２１】
（６）頂部が、凸レンズ面で構成される、上記（５）の光分岐素子。
【００２２】
本態様によれば、光分岐素子の頂部が、凸レンズ面で構成される。これにより、測定光を集光させて照射でき、光を効率よく利用できる。
【発明の効果】
【００２３】
本発明によれば、コンパクトな構成で高精度な測定ができる。また、組み立ても容易にできる。
【図面の簡単な説明】
【００２４】
【図１】本発明に係る干渉計の第１の実施の形態の概略構成図
【図２】光分岐素子の斜視図
【図３】光分岐素子の側面図
【図４】光分岐素子の正面図
【図５】光分岐素子とビームスプリッターとの間の光路を伝播する測定光及び参照光の概念図
【図６】本発明に係る干渉計の第２の実施の形態の概略構成図
【図７】本発明に係る干渉計の第３の実施の形態の概略構成図
【図８】第３の実施の形態の干渉計で使用する光分岐素子の側面図
【発明を実施するための形態】
【００２５】
以下、添付図面に従って本発明の好ましい実施の形態について詳説する。
【００２６】
《第１の実施の形態》
〈構成〉
図１は、本発明に係る干渉計の第１の実施の形態の概略構成図である。
【００２７】
同図に示すように、本実施の形態の干渉計１０は、光源１２、ビームスプリッター１４、光分岐素子１６、ターゲット１８、光検出器２０、集光レンズ２２、及び、測長部２４を備えて構成される。
【００２８】
光源１２は、コリメートされた単一波長のレーザー光を出射する。光源１２は、一定位置に固定して設置される。
【００２９】
ビームスプリッター１４は、光源１２から出射されるレーザー光の光軸Ｌと同軸上に配置される。ビームスプリッター１４は、一定位置に固定して設置される。ビームスプリッター１４は、光源１２からのレーザー光を透過し、かつ、光分岐素子１６からの参照光及び測定光を光検出器２０に向けて反射する。
【００３０】
光分岐素子１６は、光源１２から出射されるレーザー光の光軸Ｌと同軸上に配置される。光分岐素子１６は、一定位置に固定して設置される。光分岐素子１６には、ビームスプリッター１４を透過した光源１２からのレーザー光が入射される。光分岐素子１６は、この光源１２からのレーザー光を測定光と参照光とに分岐する。
【００３１】
図２、図３、図４は、それぞれ光分岐素子の斜視図、側面図、正面図である。
【００３２】
図２〜図４に示すように、光分岐素子１６は、頂点が切除された構造のコーナーキューブプリズム（ＣＣＰ：Corner Cube Prism）で構成される。ＣＣＰとは、光を入射方向によらず、元来た方向に反射（再帰反射）するプリズムのことであり、コーナーキューブの一形態である。ＣＣＰは、直角に交わる３つ面を有し、その３つの面の内部全反射を利用して、プリズムへ入射する光を入射方向へ１８０度折り返す。
【００３３】
光分岐素子１６は、全体として錐台の形状を有し、入射面１６Ａと、３つの反射面１６Ｂ、１６Ｃ、１６Ｄと、透過面１６Ｅと、を備えて構成される。
【００３４】
入射面１６Ａは、光源１２からのレーザー光が入射する面である。本実施の形態の光分岐素子１６は、入射面１６Ａが平滑な円形状を有する。入射面１６Ａには、反射防止膜（ＡＲコート：Anti-Reflective coat）が備えられる。
【００３５】
３つの反射面１６Ｂ、１６Ｃ、１６Ｄは、入射面１６Ａに入射したレーザー光の一部を元来た方向に反射（再帰反射）する。３つの反射面１６Ｂ、１６Ｃ、１６Ｄは、互いに直角に配置される。入射面１６Ａに入射したレーザー光の一部は、３つの反射面１６Ｂ、１６Ｃ、１６Ｄで１回ずつ反射したのち、元来た方向に戻ってゆく。
【００３６】
透過面１６Ｅは、入射面１６Ａに入射したレーザー光の一部を透過させる面である。透過面１６Ｅは、光分岐素子１６の頂部に配置される。透過面１６Ｅは、平坦な三角形状を有し、入射面１６Ａと平行に設けられる。透過面１６Ｅには、ＡＲコートが備えられる。
【００３７】
光分岐素子１６は、光源１２から出射されるレーザー光の光軸Ｌと同軸上に配置される。光源１２から出たレーザー光は、ビームスプリッター１４を透過して、光分岐素子１６の入射面１６Ａの中央に垂直に入射する。入射面１６Ａに入射したレーザー光は、中央部分の光が透過面１６Ｅを透過する。そして、残り（周辺部分の光）が反射面１６Ｂ、１６Ｃ、１６Ｄで反射して、入射方向に１８０度折り返される。透過面１６Ｅを透過する光が測定光、反射面１６Ｂ、１６Ｃ、１６Ｄで入射方向に折り返される光が参照光とされる。測定光と参照光とは、互いに同軸上を逆方向に伝播する。
【００３８】
このように、光分岐素子１６は、一部を直進させて透過し、残りを元来た方向に反射することにより、入射したレーザー光を測定光と参照光とに分岐する。このため、光源１２から出射するレーザー光は、反射光（参照光）を得るのに十分なビーム径とされる。
【００３９】
ターゲット１８は、図１に示すように、光源１２から出射されるレーザー光の光軸Ｌと同軸上に配置される。ターゲット１８は、ＣＣＰで構成され、図示しない移動体に設置される。この移動体は、光源１２から出射されるレーザー光の光軸Ｌに沿って前後移動可能に設けられる。ターゲット１８は、光分岐素子１６から出射する測定光を元来た方向に反射する。
【００４０】
ターゲット１８で反射した測定光は、元来た光路を伝播し、光分岐素子１６の透過面１６Ｅに入射する。そして、光分岐素子１６を通って参照光とともにビームスプリッター１４に入射する。
【００４１】
図５は、光分岐素子とビームスプリッターとの間の光路を伝播する測定光及び参照光の概念図である。
【００４２】
図５に示すように、光分岐素子１６とビームスプリッター１４との間の光路を伝播する測定光Ｌ１及び参照光Ｌ２は、参照光Ｌ２が測定光Ｌ１を包む形で伝播する。したがって、同じ光路を伝播しても、測定光Ｌ１及び参照光Ｌ２は、ほぼ交わることなく光分岐素子１６とビームスプリッター１４との間の光路を伝播する。
【００４３】
光検出器２０は、ビームスプリッター１４で反射した測定光及び参照光を受光し、その強度を検出する。光検出器２０は、ビームスプリッター１４で反射した測定光及び参照光の光路上に配置され、一定位置に固定して設置される。
【００４４】
集光レンズ２２は、ビームスプリッター１４と光検出器２０との間に配置され、一定位置に固定して設置される。集光レンズ２２は、ビームスプリッター１４から出射された測定光及び参照光を集光して、光検出器２０に入射する。測定光及び参照光は、集光レンズ２２で集光されることにより合成される。これにより、測定光及び参照光の干渉光が生成される。したがって、光検出器２０では、測定光と参照光との干渉光の強度が検出される。
【００４５】
測長部２４は、光検出器２０から出力される干渉信号を解析し、ターゲット１８の変位量を測長する。測長部２４は、コンピュータで構成される。コンピュータは、所定の測長プログラムを実行することにより、測長部として機能する。
【００４６】
〈作用〉
光源１２から出射されたレーザー光は、ビームスプリッター１４を透過し、光分岐素子１６に入射する。光分岐素子１６に入射したレーザー光は、一部（中央部分の光）が測定光として透過面１６Ｅを透過し、残りが参照光として元来た方向に１８０度折り返される。
【００４７】
透過面１６Ｅを透過した測定光は、そのまま直進してターゲット１８に入射する。そして、ターゲット１８で元来た方向に折り返されて、再び光分岐素子１６に入射する。
【００４８】
光分岐素子１６に入射した測定光は、参照光とともにビームスプリッター１４に入射し、光検出器２０に向けて出射される。測定光及び参照光は、集光レンズ２２で集光されて、光検出器２０に入射する。測定光及び参照光は、集光レンズ２２で集光されることにより合成される。これにより、測定光と参照光との干渉光が生成される。したがって、光検出器２０には、測定光と参照光との干渉光が入射される。
【００４９】
光検出器２０は、干渉光の強度を検出する。測長部２４は、光検出器２０の検出出力に基づいて、ターゲット１８の変位量を測長する。
【００５０】
本実施の形態の干渉計１０によれば、測定光と参照光とが同軸上を伝播するため、外乱の影響を受けにくい構成にできる。これにより、高精度な測定が可能になる。
【００５１】
また、測定光の光路と参照光の光路とが同軸上に配置されるため、コンパクトな構成にできる。
【００５２】
さらに、光分岐素子１６が、光源１２からのレーザー光を反射する部分に関して、コーナーキューブと同じ構造を有することにより、組み立ても容易にできる。すなわち、光源１２からのレーザー光を反射する部分（参照光を分離する部分）が、コーナーキューブと同じ構造であることにより、仮に光分岐素子１６がレーザー光の光軸に対して傾いて設置された場合であっても、常に参照光をレーザー光の光軸と同軸方向に反射させることができる。これにより、光分岐素子１６の設置精度をラフにでき、装置の組み立てを容易にできる。また、径年変化にも頑強な構成にできる。
【００５３】
《第２の実施の形態》
〈構成〉
図６は、本発明に係る干渉計の第２の実施の形態の概略構成図である。
【００５４】
図６に示すように、本実施の形態の干渉計１００は、光源１１２、光伝播部１１４、光分岐素子１１６、ターゲット１１８、光検出器１２０、集光レンズ１２２、及び、測長部１２４を備えて構成される。
【００５５】
光源１１２は、単一波長のレーザー光を出射する。光源１１２は、一定位置に固定して設置される。
【００５６】
光伝播部１１４は、光源１１２から出射されるレーザー光を集光レンズ１２２に伝播し、かつ、集光レンズ１２２から出射される干渉光を光検出器１２０に伝播する。光伝播部１１４は、光サーキュレーター１２６と、第１の光ファイバー１２８と、第２の光ファイバー１３０と、第３の光ファイバー１３２と、を備えて構成される。
【００５７】
光サーキュレーター１２６は、第１ポート１２６Ａ、第２ポート１２６Ｂ、及び、第３ポート１２６Ｃの３つのポートを備え、第１ポート１２６Ａに入射する光を第２ポート１２６Ｂから出射する。また、第２ポート１２６Ｂに入射する光を第３ポート１２６Ｃから出射する。
【００５８】
第１の光ファイバー１２８は、光サーキュレーター１２６の第１ポート１２６Ａに接続される。第１の光ファイバー１２８は、光源１１２から出射するレーザー光を第１ポート１２６Ａに伝播する。
【００５９】
第２の光ファイバー１３０は、光サーキュレーター１２６の第２ポート１２６Ｂに接続される。第２の光ファイバー１３０は、第２ポート１２６Ｂから出射するレーザー光を伝播し、ファイバー端から出射する。また、ファイバー端に入射する光を第２ポート１２６Ｂに伝播する。
【００６０】
第３の光ファイバー１３２は、光サーキュレーター１２６の第３ポート１２６Ｃに接続される。第３の光ファイバー１３２は、第３ポートから出射する光を光検出器１２０に伝播する。
【００６１】
第２の光ファイバー１３０のファイバー端は、一定位置に固定して設置される。第２の光ファイバー１３０のファイバー端から出射するレーザー光は、集光レンズ１２２を介して光分岐素子１１６に入射する。集光レンズ１２２は、第２の光ファイバー１３０のファイバー端から出射するレーザー光の光軸Ｌと同軸上に配置される。
【００６２】
光分岐素子１１６は、第２の光ファイバー１３０のファイバー端から出射するレーザー光の光軸Ｌと同軸上に配置される。光分岐素子１１６は、一定位置に固定して設置される。光分岐素子１１６の構成は、上述した第１の実施の形態の干渉計１０の光分岐素子１６と同じである。
【００６３】
光分岐素子１１６に入射したレーザー光は、一部が透過面を透過し、残りが反射面を反射して元来た方向に１８０度折り返される。透過面を透過した光が測定光、元来た方向に折り返される光が参照光とされる。
【００６４】
ターゲット１１８は、第２の光ファイバー１３０のファイバー端から出射するレーザー光の光軸Ｌと同軸上に配置される。ターゲット１１８は、ＣＣＰで構成され、図示しない移動体に設置される。この移動体は、第２の光ファイバー１３０のファイバー端から出射するレーザー光の光軸Ｌに沿って前後移動可能に設けられる。ターゲット１１８は、光分岐素子１１６から出射する測定光を元来た方向に反射する。
【００６５】
ターゲット１１８で反射した測定光は、元来た光路を伝播し、光分岐素子１１６の透過面に入射する。そして、光分岐素子１１６を通って参照光とともに集光レンズ１２２に入射する。
【００６６】
集光レンズ１２２は、測定光及び参照光を集光して、第２の光ファイバー１３０のファイバー端に入射する。測定光及び参照光は、集光レンズ２２で集光されることにより合成される。これにより、測定光及び参照光の干渉光が生成される。したがって、第２の光ファイバー１３０のファイバー端には、測定光と参照光との干渉光が入射する。
【００６７】
第２の光ファイバー１３０のファイバー端に入射した干渉光は、第２の光ファイバー１３０を伝播して光サーキュレーター１２６の第２ポート１２６Ｂに入射する。第２ポート１２６Ｂに入射した干渉光は、第３ポート１２６Ｃから出射して第３の光ファイバー１３２に入射する。そして、第３の光ファイバー１３２を伝播して、光検出器１２０に入射する。
【００６８】
光検出器１２０は、入射した干渉光の強度を検出する。測長部１２４は、光検出器１２０の検出出力に基づいて、ターゲット１１８の変位量を測長する。
【００６９】
〈作用〉
光源１２から出射されたレーザー光は、第１の光ファイバー１２８を伝播して、光サーキュレーター１２６の第１ポート１２６Ａに入射する。第１ポート１２６Ａに入射したレーザー光は、第２ポート１２６Ｂから出射して第２の光ファイバー１３０に入射する。第２の光ファイバー１３０に入射したレーザー光は、第２の光ファイバー１３０を伝播して、第２の光ファイバー１３０のファイバー端から出射する。第２の光ファイバー１３０のファイバー端から出射したレーザー光は、集光レンズ１２２を介して光分岐素子１１６に入射する。
【００７０】
光分岐素子１１６に入射したレーザー光は、一部（中央部分の光）が測定光として透過面を透過し、残り（周辺部分の光）が参照光として元来た方向に１８０度折り返される。
【００７１】
透過面を透過した測定光は、そのまま直進してターゲット１１８に入射する。そして、ターゲット１１８で元来た方向に折り返されて、再び光分岐素子１１６に入射する。
【００７２】
光分岐素子１１６に入射した測定光は、参照光とともに集光レンズ１２２に入射する。そして、集光レンズ１２２で集光されて、第２の光ファイバー１３０のファイバー端に入射する。測定光及び参照光は、集光レンズ１２２で集光されることにより合成される。これにより、測定光と参照光との干渉光が生成される。そして、この干渉光が、第２の光ファイバー１３０のファイバー端に入射する。
【００７３】
第２の光ファイバー１３０のファイバー端に入射した干渉光は、第２の光ファイバー１３０を伝播して光サーキュレーター１２６の第２ポート１２６Ｂに入射する。第２ポート１２６Ｂに入射した干渉光は、第３ポート１２６Ｃから出射して第３の光ファイバー１３２に入射する。そして、第３の光ファイバー１３２を伝播して、光検出器１２０に入射する。光検出器１２０は、入射した干渉光の強度を検出する。測長部１２４は、光検出器１２０の検出出力に基づいて、ターゲット１１８の変位量を測長する。
【００７４】
本実施の形態の干渉計１００においても、測定光と参照光とが同軸上を伝播するため、外乱の影響を受けにくい構成にできる。これにより、高精度な測定が可能になる。
【００７５】
また、測定光の光路と参照光の光路とが同軸上に配置されるため、コンパクトな構成にできる。
【００７６】
さらに、光分岐素子１１６が、光源１２からのレーザー光を反射する部分に関して、コーナーキューブと同じ構造を有することにより、組み立ても容易にできる。
【００７７】
また、本実施の形態の干渉計１００によれば、光源１１２と測定部（集光レンズ１２２と光分岐素子１１６とターゲット１１８とを含む構成要素）、光検出器１２０と測定部、光源１１２と光検出器１２０を相互に分離できるので、レイアウトの自由度を向上できる。
【００７８】
《第３の実施の形態》
〈構成〉
図７は、本発明に係る干渉計の第３の実施の形態の概略構成図である。
【００７９】
図７に示すように、本実施の形態の干渉計２００は、光源２１２、光伝播部２１４、光分岐素子２１６、ターゲット２１８、光検出器２２０、集光レンズ２２２、及び、測長部２２４を備えて構成される。
【００８０】
本実施の形態の干渉計２００は、光分岐素子２１６及びターゲット２１８の構成が、上述した第２の実施の形態の干渉計１００と相違する。光源２１２、光伝播部２１４、光検出器２２０、集光レンズ２２２、及び、測長部２２４の構成については、上述した第２の実施の形態の干渉計１００の光源１１２、光伝播部１１４、光検出器１２０、集光レンズ１２２、及び、測長部１２４の構成と同じなので、ここでは、光分岐素子２１６及びターゲット２１８の構成についてのみ説明する。
【００８１】
図８は、本実施の形態の干渉計で使用する光分岐素子の側面図である。
【００８２】
本実施の形態の光分岐素子２１６も頂点が切除された構造のＣＣＰで構成されるが、頂部が凸レンズ面で構成される点で上記第１及び第２の実施の形態の光分岐素子と相違する。
【００８３】
図８に示すように、光分岐素子２１６は、入射面２１６Ａと、３つの反射面２１６Ｂ、２１６Ｃ、２１６Ｄと、透過面２１６Ｅと、を備えて構成される。そして、頂部を構成する透過面２１６Ｅが、凸レンズ面で構成される。
【００８４】
入射面２１６Ａに入射したレーザー光は、中央部分の光が透過面２１６Ｅを測定光として透過し、残りが参照光として反射面２１６Ｂ、２１６Ｃ、２１６Ｄで入射方向に反射される。
【００８５】
ここで、透過面２１６Ｅを透過する測定光は、透過面２１６Ｅが凸レンズ面で構成されることにより、集光されてターゲット２１８に照射される。これにより、ターゲット２１８に対して効率よく測定光を照射できる。
【００８６】
図７に示すように、ターゲット２１８は、矩形状の板状片で構成される。ターゲット２１８は、照射面２１８Ａを有する。照射面２１８Ａは、粗面で構成される。ターゲット２１８は、図示しない移動体に設けられる。移動体は、測定光の光軸に沿って前後移動可能に設けられる。測定光は、ターゲット２１８の照射面２１８Ａの中央に垂直に入射する。
【００８７】
〈作用〉
光分岐素子２１６の入射面２１６Ａに入射したレーザー光は、一部（中央部分の光）が測定光として透過面２１６Ｅを透過し、残り（周辺部分の光）が参照光として元来た方向に１８０度折り返される。
【００８８】
ここで、本実施の形態の光分岐素子２１６は、透過面２１６Ｅが凸レンズ面で構成されている。このため、透過面２１６Ｅを透過する測定光は、集光されてターゲット２１８の照射面２１８Ａに照射される。
【００８９】
ターゲット２１８の照射面２１８Ａに照射された測定光は、散乱光となり、その散乱光の一部が光分岐素子２１６の透過面２１６Ｅに入射する。光分岐素子２１６の透過面２１６Ｅに入射した測定光の散乱光は、参照光とともに光分岐素子２１６の入射面２１６Ａから出射し、集光レンズ２２２に入射する。
【００９０】
集光レンズ２２２に入射した測定光及び参照光は、集光レンズ２２２で集光されることにより合成される。これにより、測定光と参照光との干渉光が生成される。
【００９１】
本実施の形態の干渉計２００によれば、光分岐素子２１６の頂部が凸レンズ面で構成されることにより、ターゲット２１８に対して効率よく測定光を照射できる。これにより、ターゲット２１８をＣＣＰで構成せずに済み、構成を更に簡素化できる。
【００９２】
本実施の形態では、第２の実施の形態の干渉計１００の光分岐素子及びターゲットを変更した場合を例に説明したが、第１の実施の形態の干渉計１０の光分岐素子及びターゲットを本実施の形態の光分岐素子及びターゲットに変更した場合も同様の作用効果を奏することができる。
【００９３】
《その他の実施の形態》
〈光分岐素子のその他の形態〉
上記実施の形態では、ＣＣＰを利用して光分岐素子を構成しているが、光分岐素子は、その他の構造のコーナーキューブを利用して構成することもできる。たとえば、３枚の反射ミラーを直角に組み合わせた構造のコーナーキューブを利用して構成することもできる。
【００９４】
また、光分岐素子の頂部のサイズ（透過面のサイズ）は、光分岐素子に入射するレーザー光のビーム径に応じて適宜設定される。すなわち、本発明の光分岐素子は、光分岐素子に入射した光の一部を頂部から透過させて、測定光と参照光とに分岐するので、頂部は入射面に入射した光の一部のみを透過するサイズに設定される。
【００９５】
一例として、光の強度分布がI(r)=I0exp(-2r2/w02)と表される標準的なガウシアンビームを考える。ここで、Iは光強度、I0は全強度を示す定数、rは光軸からの半径、w0は光強度が1/e2となる半径（ガウシアンビーム半径）である。
【００９６】
このとき、光強度が半分となる半径は0.59w0と計算される。そのため半径w0の光ビームを使用する際には、頂部のサイズ（透過面の面積）を半径0.59w0の円と等しい面積にすることで参照光と測定光との比（参照光:測定光）を５０：５０にすることができる。
【００９７】
また、必要に応じて頂部のサイズを変更した光分岐素子を用いることで任意の分岐比を得ることができる。
【００９８】
〈ターゲットのその他の形態〉
ターゲットについては、ＣＣＰに限らず、反射ミラーで構成することもできる。
【００９９】
〈干渉計の構造〉
上記実施の形態では、一般的な単一波長干渉計に本発明を適用した場合を例に説明したが、本発明の適用は、これに限定されるものではない。この他、たとえば、多波長干渉計（光源の波長を走査することにより複数波長による合成波長を用いて光路差を求める干渉計）などにも適用できる。
【０１００】
また、上記実施の形態では、移動体に備えられたターゲットに測定光を照射して、ターゲットの変位量を測定する場合を例に説明したが、測定光を測定対象物に直接照射して、その距離や変位量を測定する場合にも同様に適用できる。
【符号の説明】
【０１０１】
１０…干渉計、１２…光源、１４…ビームスプリッター、１６…光分岐素子、１６Ａ…入射面、１６Ｂ…反射面、１６Ｃ…反射面、１６Ｃ…反射面、１６Ｅ…透過面、１８…ターゲット、２０…光検出器、２２…集光レンズ、２４…測長部、１００…干渉計、１１２…光源、１１４…光伝播部、１１６…光分岐素子、１１８…ターゲット、１２０…光検出器、１２２…集光レンズ、１２４…測長部、１２６…光サーキュレーター、１２６Ａ…第１ポート、１２６Ｂ…第２ポート、１２６Ｃ…第３ポート、１２８…第１の光ファイバー、１３０…第２の光ファイバー、１３２…第３の光ファイバー、２００…干渉計、２１２…光源、２１４…光伝播部、２１６…光分岐素子、２１６Ａ…入射面、２１６Ｂ…反射面、２１６Ｃ…反射面、２１６Ｄ…反射面、２１６Ｅ…透過面、２１８…ターゲット、２１８Ａ…照射面、２２０…光検出器、２２２…集光レンズ、２２４…測長部
【図１】
0006410100.tif 000002
【図２】
0006410100.tif 000003
【図３】
0006410100.tif 000004
【図４】
0006410100.tif 000005
【図５】
0006410100.tif 000006
【図６】
0006410100.tif 000007
【図７】
0006410100.tif 000008
【図８】
0006410100.tif 000009